(57)【要約】【課題】簡素な構成で、ボードの取り付け作業を容易迅速に行うことができる寝台におけるボード取付構造を提供する点にある。【解決手段】支持フレーム１２の前後方向の端部に、側面視ほぼＵの字状の受け具１４を設け、受け具１４の外方側に位置する縦壁部１４Ｂの内面に、受け具１４に載置支持されているボード６の外面に備えさせた被係止部１６に係止可能な係止部１７をボード６から離間させた係止解除位置に位置させた状態で設け、係止解除位置に位置している縦壁部１４Ｂをボード６側へ移動させて係止部１７をボード６の被係止部１６に係止させるための操作具１８を受け具に備えさせている。【選択図】      図４
2004290417.tif 000002
【特許請求の範囲】
【請求項１】
床部を載置支持するための支持フレームの前側端部及び後側端部のうちの少なくとも一方の端部に、ボードを前後方向から挟み込む前後一対の縦壁部と該ボードの底面を載置支持する底部とからなる側面視ほぼＵの字状の受け具を該支持フレームよりも前後方向外方側に突出位置する状態で設け、前記受け具の外方側に位置する縦壁部の内面に、該受け具に載置支持されているボードの外面に備えさせた被係止部に係止可能な係止部を前記ボードから離間させた係止解除位置に位置させた状態で設け、前記係止解除位置に位置している縦壁部を前記ボード側へ移動させて前記係止部を該ボードの被係止部に係止させるための操作具を前記受け具又はボードに備えさせたことを特徴とする寝台におけるボード取付構造。
【請求項２】
前記受け具又はボードに前記操作具を水平軸芯周りで揺動自在に取り付け、前記操作具を揺動操作することにより、該操作具に備えさせた押圧部にて前記外方側に位置する縦壁部を内方側に押圧して該縦壁部の係止部を前記被係止部に押し付ける係止状態と、該押圧部による該縦壁部への押圧を解除して該被係止部に係止している該係止部を係止解除位置に復帰させる係止解除状態とに切り替え自在に構成してなる請求項１記載の寝台におけるボード取付構造。
【請求項３】
前記受け具の前後一対の縦壁部に、帯板状の部材の長手方向ほぼ中間部を折り返して側面視ほぼコの字状に形成され、かつ、そのコの字状に形成された部材の両端のそれぞれが更に外側に折り返された折り返し部を備えた取付金具をそれの折り返し部側先端部から挿入可能な貫通孔を形成し、前記操作具に備えさせた揺動支軸に前記取付金具を抱きつかせた状態で該取付金具の先端部を前後一対の貫通孔を挿通させてから前記内側に位置する縦壁部に該先端部の折り返し部を係止保持させるための係止保持部を備えさせ、前記ボードを受け具に上方から挿入する際に、前記前後一対の縦壁部間に渡る取付金具の通過を許容するための上下方向の凹部を前記ボードに形成してなる請求項１又は２記載の寝台におけるボード取付構造。
【請求項４】
前記ボードの表裏両面の前記凹部の外周縁に前記前後一対の縦壁部が入り込んで該縦壁部の外面とボード外面とがほぼ面一状となる溝部を形成してなる請求項１〜３のいずれか１項に記載の寝台におけるボード取付構造。
【請求項５】
前記係止部を前記外方側に位置する縦壁部の上端内面に備えさせ、該縦壁部の上端を上端側ほど外方側に位置する傾斜姿勢に構成してなる請求項１〜４のいずれか１項に記載の寝台におけるボード取付構造。
【発明の詳細な説明】
【０００１】
【発明の属する技術分野】
本発明は、寝台の前後に立姿勢で備えさせるベッドボードやフットボードなどのボードを寝台に取り付けるための寝台におけるボード取付構造に関する。
【０００２】
【従来の技術】
上記寝台におけるボード取付構造は、前後方向に長い左右一対の前後フレームの前側端部又は後側端部と、該前後フレームの前側端部間又は後側端部間を連結する左右方向に長い連結フレームの左右端部との間に固定された平面視ほぼコの字状の連結凹部に横設した係止杆を備えさせ、ボードの下面の左右両端のそれぞれに固定された取付金具の外面側にバンパーを取り付け、該取付金具の内面側に係止杆に上方から係止可能な連結金具を取り付け、その連結金具に、該連結金具に形成の貫通孔と前記連結凹部に形成された貫通孔に渡って挿通して連結金具の上方への移動を阻止するための閂杆を前記貫通孔から連結金具内部に移動させる係止解除位置と貫通孔に貫通させる係止位置とに切り替える操作レバーを揺動自在に取り付けて、ボードをそれの外面側に立った状態で持ちながらボードの内面側に配置された左右の連結金具の係止部を左右の連結凹部の係止杆にそれぞれ係止させてから、左右の操作レバーのそれぞれを順次揺動操作することにより閂杆を２つの貫通孔に貫通させることでボードを寝台に固定することができるようにしている（例えば、特許文献１参照）。
【０００３】
【特許文献１】
実開平６−３８７２０号公報（図１〜図４参照）
【０００４】
【発明が解決しようとする課題】
上記特許文献１では、連結金具がボードの内側に位置しているため、ボードの外面側に立って連結金具を係止杆に確実に係止させるためには、ボードの上端から内側に顔を突き出して連結金具を見なければならず、ボードの大きさなどによっては非常に係止作業が行い難いものであった。又、前記係止作業完了後に床部の下方に手を入れて操作レバーを握って揺動操作することが非常に手間のかかる煩わしい作業になり、ボードの取り付け作業が手間のかかる煩わしい作業になっていた。
又、前記連結金具、閂杆、操作レバーの他、閂杆を貫通孔に貫通させたり連結金具内へ引退させたりするために閂杆と操作レバーとを連動連結する軸や操作レバーを揺動自在に支持する回転支軸を必要とし、ボードの取付構造が複雑になる不都合もあった。
【０００５】
本発明が前述の状況に鑑み、解決しようとするところは、簡素な構成で、ボードの取り付け作業を容易迅速に行うことができる寝台におけるボード取付構造を提供する点にある。
【０００６】
【課題を解決するための手段】
本発明は、前述の課題解決のために、床部を載置支持するための支持フレームの前側端部及び後側端部のうちの少なくとも一方の端部に、ボードを前後方向から挟み込む前後一対の縦壁部と該ボードの底面を載置支持する底部とからなる側面視ほぼＵの字状の受け具を該支持フレームよりも前後方向外方側に突出位置する状態で設け、前記受け具の外方側に位置する縦壁部の内面に、該受け具に載置支持されているボードの外面に備えさせた被係止部に係止可能な係止部を前記ボードから離間させた係止解除位置に位置させた状態で設け、前記係止解除位置に位置している縦壁部を前記ボード側へ移動させて前記係止部を該ボードの被係止部に係止させるための操作具を前記受け具又はボードに備えさせたことを特徴としている。
ボードを寝台に取り付ける場合には、支持フレームの一端部に設けられた受け具に上方から差し込むことにより、前後一対の縦壁部にてボードが前後方向から挟み込まれた状態で底部に載置支持された状態になる。この後、操作具にて係止解除位置に位置している縦壁部をボード側へ移動させることにより、ボードの外面に備えさせた被係止部に縦壁部に備えさせている係止部を係止させてボードを寝台に取り付け固定する（装着する）ことができる。尚、前記操作具を係止解除位置に戻すことによって、前記係止が解除され、ボードを取り外すことができる。
前記受け具が支持フレームよりも前後方向外方側に突出位置した状態にあるため、ボードをそれの外面側に立って持った状態で受け具を容易に視認することができ、受け具へのボードの挿入時において、従来のように大きく姿勢変更する必要がない。
【０００７】
前記受け具又はボードに前記操作具を水平軸芯周りで揺動自在に取り付け、前記操作具を揺動操作することにより、該操作具に備えさせた押圧部にて前記外方側に位置する縦壁部を内方側に押圧して該縦壁部の係止部を前記被係止部に押し付ける係止状態と、該押圧部による該縦壁部への押圧を解除して該被係止部に係止している該係止部を係止解除位置に復帰させる係止解除状態とに切り替え自在に構成している。
上記のように構成することによって、操作具を揺動操作するだけで、係止部を被係止部に押し付けて係止状態にしたり、その押圧状態を解除して係止解除状態にすることができ、操作具と縦壁部との連動構造が不要になる。
【０００８】
前記受け具の前後一対の縦壁部に、帯板状の部材の長手方向ほぼ中間部を折り返して側面視ほぼコの字状に形成され、かつ、そのコの字状に形成された部材の両端のそれぞれが更に外側に折り返された折り返し部を備えた取付金具をそれの折り返し部側先端部から挿入可能な貫通孔を形成し、前記操作具に備えさせた揺動支軸に前記取付金具を抱きつかせた状態で該取付金具の先端部を前後一対の貫通孔を挿通させてから前記内側に位置する縦壁部に該先端部の折り返し部を係止保持させるための係止保持部を備えさせ、前記ボードを受け具に上方から挿入する際に、前記前後一対の縦壁部間に渡る取付金具の通過を許容するための上下方向の凹部を前記ボードに形成している。
上記構成にすることによって、操作具を受け具に取り付けるための取付金具を、ボードの凹部（切欠き）を受け具に挿入するときのボードの左右方向での位置案内用のガイド部材に兼用構成することができる。特に、前記凹部の左右方向の幅を取付金具の左右幅よりも少し大きな幅に設定することによって、取付金具がガイド部材として機能を発揮し易い利点がある。しかも、前後一対の縦壁部同士を取付金具にて連結する構成となるため、受け具の強度をアップさせる補強部材にもなる。
【０００９】
前記ボードの表裏両面の前記凹部の外周縁に前記前後一対の縦壁部が入り込んで該縦壁部の外面とボード外面とがほぼ面一状となる溝部を形成することによって、受け具の突出端部に他物が引っ掛かることがないだけでなく、意匠感を悪化させることがない。
【００１０】
前記係止部を前記外方側に位置する縦壁部の上端内面に備えさせ、該縦壁部の上端を上端側ほど外方側に位置する傾斜姿勢に構成することによって、ボードを前後一対の縦壁部間にそれらの上端から挿入する場合にボードの挿入位置が前後方向に多少ずれたとしても、縦壁部の傾斜面を案内面として利用することができ、ボードの受け具への挿入作業がし易くなる。
【００１１】
【発明の実施の形態】
図１に、前後方向に長い寝台が示されており、この寝台は、前後端の４つの角部それぞれに接地部１を備えた固定フレーム２と、このフレーム２に前後一対のリンク機構３，３を介して昇降自在に取り付けられた支持フレーム４と、前記支持フレーム４の前後端にそれぞれ立姿勢で取り付けられたヘッドボード５及びフットボード６と、前記支持フレーム４の上面に載置支持される床部１１とを備えている。ここでは、支持フレーム４を昇降可能なものを示しているが、昇降不能なものであってもよい。図１では、ヘッドボード５及びフットボード６の両方を備えたものを示しているが、いずれか一方のボードのみを備えた寝台であってもよい。
【００１２】
前記床１１は、前後方向前側（ヘッドボード５側）から後端側の水平軸芯周りで起伏自在に構成された背部床７、座部床８、前方側の水平軸芯周りで起伏自在に構成された膝部床９、膝部床９の後端に枢支連結されると共に膝部床９の起伏により前端側が上昇して膝部床９と共働して側面視においてほぼへの字状に姿勢変更可能に構成された脚部床１０の順に配置されているが、１つの床部又は２つの床部又は３つの床部又は５つ以上の床部で構成してもよい。尚、図１では、脚部床１０のみフレームの上に縦横に所定間隔をおいて配設された金属製の棒状部材からなる網体を図示したものを示しているが、他の床である背部床７、座部床８、膝部床９にも同様に網体が配設されることになる。又、前記網体に代えて板状部材をフレームの上に備えさせて構成することもできるし、又、角筒状又は円筒状のパイプを多数フレーム上に備えさせて構成してもよい。
【００１３】
前記フットボード６を前記支持フレーム４に取り付けるための構成について説明する。尚、前記ベッドボード７も同一の取り付け構造であるため、説明を省略する。
図２〜図５に示すように、前記支持フレーム４を構成する後方側に位置する寝台の前後方向に伸びる左右フレーム部１２，１３の後側端部それぞれに固定された側面視ほぼＬ字状の固定金具（無くてもよい）１５に、フットボード６の左右方向の特定２箇所を前後方向から挟み込む前後一対の縦壁部１４Ａ，１４Ｂと該フットボード６の底面６Ｃを載置支持する底部１４Ｃとからなる側面視ほぼＵの字状で金属製（復元力を有するものであれば合成樹脂などであってもよい）の受け具１４を支持フレーム４よりも前後方向外方側に突出位置する状態で固定している。前記受け具１４の外方側に位置する縦壁部１４Ｂの内面のうちの上端部位に、該受け具１４に載置支持されているフットボード６の外面に備えさせた被係止部としての横長状の凹部１６に係止可能な係止部としての横長状の突出部１７を内側に膨出させている。このように突出部１７を一体形成することによって部材点数の削減化及び組み付け作業面において有利になるが、突出部１７を別の部材から構成して、その突出部１７を縦壁部１４Ｂの内面に固定してもよい。
前記突出部１７が形成された縦壁部１４Ｂの上端部１４Ｔを上端側ほど寝台において後方側（外方側）に位置する傾斜姿勢に折り曲げており、受け具１４にフットボード６を差し込んだ状態、つまり縦壁部１４Ｂに外力が加わっていない状態では、前記突出部１７がフットボード６から離間した係止解除位置に位置するように構成している。図２に示す２１は、左右フレーム部１２，１３の端部同士を連結するための連結フレームである。
【００１４】
前記係止解除位置に位置している縦壁部１４Ｂを前記フットボード６側へ移動させて前記突出部１７をフットボード６の下面から上方に向かって形成された左右一対の凹部（切欠き）１６，１６のそれぞれに係止させるための操作具１８を前記受け具１４に備えさせている。ここでは、左右方向に設けられた２個の受け具１４，１４にてフットボード６を支持する構成にすることによって、部材点数の増大を抑制しながらも、安定良くフットボード６を支持することができる利点があるが、受け具１４を３個以上設けてフットボード６を３箇所以上で更に安定良く支持してもよいし、幅の大きな受け具１４であれば、１個のみ設けてフットボード６を支持するものであってもよい。
つまり、図４（ａ），（ｂ）に示すように、前記受け具１４の前後一対の縦壁部１４Ａ，１４Ｂの上側部分に、帯板状で金属製の部材の長手方向ほぼ中央部を折り返して側面視ほぼコの字状に形成され、かつ、そのコの字状に形成された部材の両端のそれぞれが外側に折り返された折り返し部１９を備えた取付金具２０をそれの折り返し部側先端部から挿入可能な同一形状で同一の大きさを有する貫通孔１４ａ，１４ｂを形成し、図４（ａ）に示す姿勢のまま取付金具２０を図において左方へ移動させることにより、操作具１８に一体形成された断面形状がほぼ円形の揺動支軸１８Ｂに該取付金具２０を抱きつかせると共に取付金具２０の先端部が互いに接近するように取付金具２０を掴んで前後一対の貫通孔１４ａ，１４ｂに挿通させてから、取付金具２０から手を離すことにより取付金具２０の復元力により前記内側に位置する縦壁部１４Ａに先端部の折り返し部１９，１９を係止保持させるための係止保持部である上下一対の貫通孔（凹部でもよい）１４ｃ，１４ｄを備えさせている。又、前記フットボード６を受け具１４に上方から挿入して載置させる際に、前記前後一対の縦壁部１４Ａ，１４Ｂ間に渡る取付金具２０の通過を許容するための上下方向の凹部６Ａをフットボード６に形成している。
【００１５】
従って、図４（ａ）に示すように、取付金具２０、操作具１８、受け具１４の配置状態とし、その状態から前述のように取付金具２０を左方へ移動させることにより、揺動支軸１８Ｂと操作具１８との間に形成される開口に取付金具２０の下側部分を折り返し部１９から挿入することで、取付金具２０を操作具１８に抱きつかせるようにしている。続いて、取付金具２０の先端部が互いに接近するように取付金具２０を掴んで前後一対の貫通孔１４ａ，１４ｂに挿通させてから取付金具２０から手を離すことにより取付金具２０の復元力により前記内側に位置する縦壁部１４Ａに形成の上下一対の貫通孔１４ａ，１４ｂに取付金具２０の先端部の折り返し部１９，１９を係止保持させて、操作具１８を取付金具２０を介して受け具１４に水平軸芯周りで揺動操作自在に取り付けることができるようにしている。
【００１６】
図４（ａ）及び図５に示すように、前記取付金具２０の両端に備えさせた折り返し部１９，１９のそれぞれは、金具本体の両端から９０度外側に折り曲げられた一直線状の縦部１９Ａと、この縦部１９Ａの遊端部から９０度水平方向に折り曲げられた一直線状の水平部１９Ｂとから構成しているが、金具本体の両端から外向きに円弧状に折り曲げられたものであってもよい。
【００１７】
前記操作具１８は、合成樹脂にて構成する他、金属や木などの他の材料にて構成することができる。そして、前記操作具１８の裏面側には凹部１８Ａが形成されており、この凹部１８Ａに指を係止することにより操作具１８を確実に揺動操作することができるようにしているが、他の構成であってもよい。
前記操作具１８の揺動支軸１８Ｂ付近の外面の特定一箇所に他の外面よりも外側に膨出する突出部１８Ｔを備えてあり、操作具１８を掴んで図４（ｂ）の水平姿勢からほぼ９０度下方へ揺動操作することにより、図５に示す上下姿勢に姿勢変更することで、突出部１８Ｔが前記外側に位置する縦壁部１４Ｂを内方側へ押圧して前記突出部１７が凹部１６に係止する係止状態にし、この状態から前記操作具１８をほぼ９０度上方側へ揺動操作することにより、突出部１８Ｔが下方を向いた姿勢、つまり元の水平姿勢に切り替えて、凹部１６への突出部１７の係止を解除する係止解除状態とに切り替えることができるようにしている。尚、図４（ｂ）では、凹部１６に突出部１７が入り込んだ状態になっているが、この状態では、フットボード６を上方に移動させると、凹部１６の下端にて突出部１７を外側（寝台では後側）に押圧してフットボード６を容易に移動できる状態であり、ここで言う係止状態とはフットボード６を上方に移動させることができない状態又は容易に移動させることができない状態を言い、図５に示すように突出部１７の断面形状がほぼ円弧状になっているため、湾曲した凹部１６に対して突出部１７を押し付けることによりフットボード６を上方に移動させることができない状態又は容易に移動させることができない状態にしているが、突出部１７の断面形状がほぼ矩形状である場合には、これに対応する矩形状の凹部１６に押し当てることなく係止させるだけでフットボード６を上方に移動させることができない状態又は容易に移動させることができない状態にすることができる。
【００１８】
図２で示した貫通孔１４ａ，１４ｂは、矩形状に形成されており、円形や楕円形に形成した場合に比べて孔の開口面積を小さく抑えることができる利点があるが、円形や楕円形など矩形状以外の他の形状の貫通孔であってもよい。
そして、前記２つの貫通孔１４ａ，１４ｂ間に上下一対の板部からなる取付金具２０を架け渡すことによって、受け具１４の強度アップを図ることができると共に取付金具２０の寝台の左右方向における端部が前記凹部１６を構成する左右壁面に接当することにより受け具１４に対するフットボード６の左右方向での位置合わせを容易に行うことができるようにしているが、図６に示すように、取付金具２０を省略して実施することもできる。前記凹部１６の左右幅の寸法は、取付金具２０の左右幅よりも少し大きな寸法に設定することが好ましい。又、図４（ａ），（ｂ）及び図５に示すように、前記凹部１６の上面６Ｂの位置は、取付金具２０の上面に接触する直前の隙間の非常に少ない状態に設定しているが、凹部１６の上面６Ｂと取付金具２０の上面との間にある程度の隙間が存在するようにしてもよい。
又、図６では、操作具１８の揺動支軸１８Ｂを操作具本体の両側壁の内面から左右方向内側にそれぞれ突出させて２つの揺動支軸１８Ｂ，１８Ｂ（図６では左側のみ示している）を備えさせ、フットボード６の下側外面に、上下方向から前記操作具１８の揺動支軸１８Ｂ，１８Ｂをそれぞれ挿入して下方で回転保持することができる案内溝２２Ａが形成された左右一対の支持ブラケット２２，２２（図６では左側しか示していない）を付設して、操作具１８を取り付けることができるようにしている。
【００１９】
図２〜図５に示すように、前記フットボード６の表裏両面のうち、前記凹部１６の外周縁に前記前後一対の縦壁部１４Ａ，１４Ｂが入り込んで該縦壁部１４Ａ，１４Ｂの外面とフットボード６外面とがほぼ面一状となる溝部６Ｍを形成しているが、省略して実施することもできる。
【００２０】
【発明の効果】
請求項１の発明によれば、ボードに備えさせた被係止部に係止する係止部を備えたＵ字状の受け具とこの受け具を操作する操作具とからボードを取り付けることができるから、従来に比べて、簡素な構成で、ボードの取り付け作業を容易迅速に行うことができる寝台におけるボード取付構造を提供することができる。
しかも、受け具を視認しながらボードを受け具に迅速に挿入することができ、ボードの取り付け作業を更に迅速に行える利点がある。
【００２１】
請求項２の発明によれば、操作具を揺動操作して係止部を被係止部に押し付ける構成とすることによって、操作具と縦壁部との連動構造が不要になり、更に構成の簡素化を図ることができる。
【００２２】
請求項３の発明によれば、操作具を受け具に取り付けるための取付金具を、ボードの凹部を受け具に挿入するときのボードの左右方向での位置案内用のガイド部材に兼用構成することができるから、更に部材点数の削減化を図り、構成を一層簡素なものにすることができる。しかも、前後一対の縦壁部同士を取付金具にて連結する構成となるため、受け具の強度をアップさせる補強部材にもなり、耐久面においても有利になる。
【００２３】
請求項４の発明によれば、受け具の突出端部に他物が引っ掛かることがなく、トラブル発生の少ない使用面において有利なものにすることができるだけでなく、意匠感を悪化させることがなく、商品価値の高いものにすることができる。
【００２４】
請求項５の発明によれば、ボードを前後一対の縦壁部間にそれらの上端から挿入する場合にボードの挿入位置が前後方向に多少ずれたとしても、縦壁部の傾斜面を案内面として利用することができ、ボードの受け具への挿入作業がし易くなり、ボードの取り付け作業において有利になる。
【図面の簡単な説明】
【図１】寝台の全体を示す分解斜視図である。
【図２】フットボードを支持フレームに取り付ける直前の状態を示す分解斜視図である。
【図３】受け具に対してフットボードを挿入する直前の状態を示す斜視図である。
【図４】（ａ）は受け具に操作具を取り付ける直前の状態を示す縦断面図、（ｂ）は受け具にフットボードを挿入した状態を示す縦断面図である。
【図５】受け具にフットボードを挿入してから操作具を係止位置に揺動操作した状態を示す縦断面図である。
【図６】操作具をフットボードに取り付けた別の形態を示す縦断面図である。
【符号の説明】
１  接地部              ２  固定フレーム
３  リンク機構          ４  支持フレーム
５  ヘッドボード        ６  フットボード
６Ａ  凹部              ６Ｍ  溝部
６Ｂ  上面              ６Ｃ  底面
７  背部床              ８  座部床
９  膝部床              １０  脚部床
１１  床部
１２，１３  左右フレーム部
１４Ａ  縦壁部          １４Ｂ  縦壁部
１４Ｔ  上端部          １４Ｃ  底部
１５  固定金具          １６  凹部
１７  突出部            １８Ａ  凹部
１８Ｂ  揺動支軸        １８  操作具
１８Ｔ  突出部          １９Ａ  縦部
１９Ｂ  水平部          １９  折り返し部
２０  取付金具          ２２Ａ  案内溝
２２  支持ブラケット
【図１】
2004290417.tif 000003
【図２】
2004290417.tif 000004
【図３】
2004290417.tif 000005
【図４】
2004290417.tif 000006
【図５】
2004290417.tif 000007
【図６】
2004290417.tif 000008